(57)【特許請求の範囲】
【請求項１】
金属などの無垢材料からなる脚柱の底面の中央に凹陥部を形成し、該凹陥部の空間に内包されるようにスパイク体の尖頭部を臨ませてなり、且つ、該尖頭部の先端が前記脚柱の底面から突出しないようにしてなる支脚主体と、
中心に支承台部が形成され、該支承台部により前記スパイク体の尖頭の軸心を支承するスタンドベースと、
からなることを特徴とする機器筐体の支脚装置。
【請求項２】
尖頭部を形成したボルトを脚柱の中央に螺合してスパイク体としたことを特徴とする請求項１記載の機器筐体の支脚装置。
【請求項３】
スパイク体を脚柱と一体に形成したことを特徴とする請求項１記載の機器筐体の支脚装置。
【請求項４】
脚柱の底面に緩衝材を貼着したことを特徴とする請求項１乃至請求項３記載の機器筐体の支脚装置。
【請求項５】
脚柱と、該脚柱よりも突出高さ寸法を小さくして尖頭部の先端が脚柱の底面から突出しないように形成されたスパイク体を具備する支脚主体と、
中心に支承台部が形成され、該支承台部により前記スパイク体の尖頭の軸心を支承するスタンドベースと、
からなることを特徴とする機器筐体の支脚装置。
【発明の詳細な説明】
【０００１】
【発明の属する技術分野】
本発明は、オーディオシステムなどの音響機器あるいは各種情報機器の筐体に用いて好適な支脚装置に関する。
【０００２】
【従来の技術】
従来、例えば、ＣＤ（コンパクト・ディスク）あるいはＤＶＤ（デジタル・バーサタイル・ディスク）と略称される光ディスクをドライブして音響再生を行うディスクプレーヤは、ディスクを回転駆動するための動力源を備えているため、機器内部が励振されて振動、共振が発生する。また、このような音響機器は、一般にオーディオラックなどの設置台にセッティングされるが、室内からの外的要因あるいは再生音により設置台が励振され、振動が機器内部に伝達される。
【０００３】
ところで、光ディスクには、微細なピットが連続したトラックが形成されており、このトラックにサーボ制御される光ピックアップのレーザ光を照射してピットを読み取るようにしている。したがって、この光ピックアップは微小なサーボ信号にも正確に追随して駆動するようにされており、そのため、トラッキング方向、フォーカス方向に動き易いように支持された構造となっている。
【０００４】
このような構造的特徴により、光ディスクの駆動源あるいは機器の外部から振動が伝達して光ピックアップが僅かでも揺れ動くと、光ピックアップによるピットの読取誤差、いわゆるビットロスを生じ音響再生特性の劣化を生じることとなる。
【０００５】
そこで、通常、振動を吸収、遮断するためのいわゆるメカニカルアースの手段として、コイルバネやゴムなどの弾性体を組合せ、機器筐体の支脚とする構成が一般に採用されているが、このような複合構造の場合は、支脚をネジにより機器筐体の底板に取り付けるようにしている。したがって、支脚の取付強度はネジの剛性に止まり、十分なメカニカルアースを得られるものではなかった。このような問題を解決する手段として、いわゆるスパイク脚により設置台に一点で接触し、筐体を３カ所または４カ所で支持するものが効果的であることが確認されている。
【０００６】
これは、図５に示すごとく、例えば、ディスクプレーヤなどの音響機器Ａに固定した支脚主体Ｌの脚柱Ｌ１を円錐スパイク状に形成し、その尖頭の一点が設置台Ｂの天板面に接地するようにしたもので、通常、音響機器のセッティング後にスタンドベースＳを脚柱Ｌ１と設置台間に介装するようにしている。また、振動の吸収、遮断をより実効のあるものとするため、図６に示すごとく、脚柱Ｌ２の尖鋭度を高くする傾向にある。
【０００７】
【発明が解決しようとする課題】
ところで、音響再生特性の向上を追求するこの種の音響機器の場合、振動、共振を排除するための構造とするため、駆動系、筐体の質量が増加し、高級モデルでは２５Ｋｇ前後のきわめて大きな重量となり、スパイク脚を備えた音響機器の設置台へのセッティグは容易なものではなく、慎重を要するものである。
【０００８】
即ち、このような音響機器のセッティングの手順は、まず、機器本体を設置台の暫定的なセッティング位置へ載置するのであるが、このとき、スパイク脚が設置台の天板表面を傷付けることが明らかであるため、保護シートをスパイク脚の位置を予測して配置し、この保護シート上にスパイク脚を接地する。しかるのち、機器本体の片側を僅かに押し上げ、保護シートを取り除き、スパイク脚下にスタンドベースを介装するようにしている。
【０００９】
このようなセッティングの作業は、機器の重量が大きい場合は、労力の大きい煩雑な作業となり、慎重を要するものである。また、スパイク脚を図６のごとく尖鋭なものとした場合は、手指を傷付ける危険があり、安全に対する配慮を必要とするものであった。
【００１０】
本発明は、かかる従来の問題に鑑みなされたもので、従来のスパイク脚の利点を活かしつつ、機器本体の設置台へのセッティングに際し、その作業性を向上するとともに、設置台を損傷することのない構造とし、併せて作業時の手指への安全性を図ることができるようにする。そして、支脚装置を機器筐体へ高い剛性構造で取り付けることができるようにし、振動、共振をより効率よく排除できるようにすることを目的とするものである。
【００１１】
【課題を解決するための手段】
本発明は、金属などの無垢材料からなる脚柱の底面の中央に凹陥部を形成し、該凹陥部の空間に内包されるようにスパイク体の尖頭部を臨ませてなり、且つ、該尖頭部の先端が前記脚柱の底面から突出しないようにしてなる支脚主体と、中心に支承台部が形成され、該支承台部により前記スパイク体の尖頭の軸心を支承するスタンドベースと、からなる第１の構成と、
【００１２】
上記第１の構成において、尖頭部を形成したボルトを脚柱の中央に螺合してスパイク体となるようにした第２の構成と、
【００１３】
上記第１の構成において、スパイク体を脚柱と一体に成形した第３の構成と、
【００１４】
上記第１乃至第３の構成において、脚柱の底面に緩衝材を貼着した第４の構成からなり、
【００１５】
さらに本発明は、脚柱と、該脚柱よりも突出高さ寸法を小さくして尖頭部に先端が脚柱の底面から突出しないように形成されたスパイク体を具備する支脚主体と、中心に支承台部が形成され、該支承台部により前記スパイク体の尖頭の軸心を支承するスタンドベースと、からなる第５の構成により課題を解決する。
【００１６】
【発明の実施の形態】
以下、本発明の実施の形態を図にもとづいて詳細に説明する。なお、光ディスクをドライブするディスクプレーヤを実施例として説明するが、本発明はオーディオアンプ、スピーカシステムなどの音響機器、あるいはその他の情報機器へ広範に実施し得るものである。
【００１７】
図１は本発明を実施したディスクプレーヤなどの音響機器Ａの正面図であり、支脚装置は、通常、筐体底面を４点支持あるいはフロント２カ所とリア１カ所で３点支持するように配置される。図２は本発明の支脚装置の第１実施例を示す断面図であり、同図において支脚主体１は、金属などの無垢材料からなる脚柱２の底面の中央に凹陥部２ａが形成され、該凹陥部の中央にネジ孔２ｂが形成されている。そして、前記脚柱２の底面２ｃの全部または一部の全周にフェルトなどの緩衝材３が貼着されている。
【００１８】
このように構成された脚柱２にはそのネジ孔２ｂへ筐体内部からボルト４が螺着され、、音響機器Ａの筐体の一部となる底板Ａ１とともに緊締される。前記ボルト４は、その先端がスパイク体となるように円錐状の尖頭部４ａが形成され、該尖頭部が前記脚柱２の凹陥部２ａの空間に内包されて臨むように寸法調整されている。なお、前記ボルト４の特に尖頭部は、焼き入れなどにより高硬度とするための処理が施されていることが望ましい。
【００１９】
つぎに、符号５はスタンドベースであり、中心に支承台部５ａが形成されており、該支承台部で前記ボルト４の尖頭部４ａの軸心を図に示すごとく支承する。
【００２０】
図３は本発明の第２実施例を示すもので、脚柱２には尖頭部２ｄとネジ部２ｅが一体に形成されており、尖頭部２ｄは第１実施例と同様に、凹陥部２ａの空間に内包されるように形成されている。そして、前記ネジ部２ｅを音響機器Ａの底板Ａ１のネジ孔に螺着して支脚主体１が固定される。
【００２１】
このように構成された本発明の支脚装置を音響機器に実装し、これをオーディオラックなどの設置台へセッティングする際の手順について以下に説明する。
【００２２】
前述のごとく、支脚主体１は音響機器の底板Ａ１に固定されているため、機器本体を設置台Ｂに載置すると、図４（Ａ）に示すごとく支脚主体１に貼着されている緩衝材３が設置台Ｂに接面する。そして、機器本体を所望の位置に定め、支脚主体１の位置する部位を図４（Ｂ）に示すごとく僅かに押し上げ、スタンドベース５を支脚主体１の直下に配置した後、機器本体を定位置に戻すことにより、図２または図３に示すごとくスタンドベース５が支脚主体１を支承した状態で一体となる。
【００２３】
上記のようにして音響機器のセッティングがなされると、脚柱がスパイク体の尖頭を覆い隠すカバーとなる機能を果たすので、この尖頭が機器外観に現れず、機器全体のデザイン性を向上することが可能となる。なお、本発明においては、無垢材料の脚柱を別部品を介さずに筐体の底板へ直接強固に取り付ける構成としたので、底板と脚柱が一体化し、スパイク体による効果と相俟って振動、共振を効果的に排除することができる。
【００２４】
【発明の効果】
以上詳細に説明したごとく、請求項１記載の発明によれば、スパイク体の尖頭部が支脚主体の脚柱の底面から露呈してないので、セッティングにあたりスパイク体で設置台を傷付けることがなく、手指の損傷の危険性のない高い安全性を確保することができる。
【００２５】
また、請求項２記載の発明によれば、スパイク体が脚柱に螺合されるので、スパイク体と脚柱の結合度が高くなっており、スパイク体による効果と相俟って振動、共振を効果的に排除することができる。また、請求項３記載の発明によれば、スパイク体を脚柱と一体に形成したので、振動、共振を更に効果的に排除することができる。また、請求項４記載の発明によれば、脚柱にはその底面に緩衝材が貼着されているので、この脚柱自体で設置台を傷付けることもないため、セッティングにあたって設置台への配慮を全く不要とすることができる。また、請求項５記載の発明によれば、スパイク体の尖頭部が支脚主体の底面から突出しないので、セッティングにあたりスパイク体で設置台を傷付けることがない。
【図面の簡単な説明】
【図１】本発明の支脚装置の実装状態を示す正面図である。
【図２】本発明の支脚装置の第１実施例の断面図である。
【図３】本発明の支脚装置の第２実施例の断面図である。
【図４】本発明の支脚装置によるセッティングの手順の説明図である。
【図５】従来の支脚装置を示す説明図である。
【図６】従来の支脚装置の他の例を示す説明図である。
【符号の説明】
１・・・・・・支脚主体
２・・・・・・脚柱
３・・・・・・緩衝材
４・・・・・・ボルト
５・・・・・・スタンドベース
【図１】
0003778108.tif 000002
【図２】
0003778108.tif 000003
【図３】
0003778108.tif 000004
【図４】
0003778108.tif 000005
【図５】
0003778108.tif 000006
【図６】
0003778108.tif 000007